(57)【要約】【課題】電力不用で低コストのセパレート型エアコンの室内機の排水装置を提供する。【解決手段】第１のドレンタンク１０は、セパレート型エアコンの室内機のそばに配置され、室内機の排出するドレン水を受け取る。第１のドレンタンク１０の出口１２は、第２のドレンタンク２０の排水口２３より低くし、第２のドレンタンク２０内は排水口２３の高さで水位を維持する。ドレンパイプ２４内は、水が充填されて、第１のドレンタンク１０内の水位と第２のドレンタンク２０内の水位が同じであるため、第１のドレンタンク１０に流入したドレン水は、第２のドレンタンク２０の排水口２３から流出する。第１、第２のタンク間を接続するドレンパイプは、両タンク間で高低差のある区間を自由に引き回すことができ、室外に十分な容量の第２タンクを配置することができる。【選択図】図１
0003180670.tif 000002
【実用新案登録請求の範囲】
【請求項１】
セパレート型エアコンの室内機の排水装置であって、
第１のドレンタンクおよび第２のドレンタンクを有し、前記第１のドレンタンクは水を貯蔵する機能を有する容器で、下端に出口が設けられ、前記第２のドレンタンクは水を貯蔵する機能を有する容器で、下端に入口が設けられると共に上端に排水口が設けられ、前記第１のドレンタンクおよび前記第２のドレンタンクの頂端にそれぞれ蓋が設けられ、側面にはそれぞれ固定ユニットが設けられ、前記第２のドレンタンクの前記入口と前記第１のドレンタンクの前記出口との間を接続するドレンパイプが配置され、前記第２タンクの排水口に排水管を接続し、前記第１のドレンタンクはセパレート型エアコンの室内機のそばに配置されて前記室内機の排出するドレン水を受け取り、前記第１のドレンタンクの前記出口を前記第２のドレンタンクの前記排水口より低く配置して前記第２のドレンタンク内の水位をその排水口の高さに維持することにより前記ドレンパイプ内をドレン水で充填し、前記第１のドレンタンク内の水位と前記第２のドレンタンク内の水位を等しく保って、前記第１のドレンタンクに流入した水を前記第２のドレンタンクの前記排水口から流出することを特徴とするセパレート型エアコンの室内機の排水装置。
【考案の詳細な説明】
【技術分野】
【０００１】
本考案は、セパレート型エアコンの室内機の排水装置に関し、特に、セパレート型エアコンの室内機に用いられる電力不用で、低コストの排水装置に関する。
【背景技術】
【０００２】
家庭、会社などにおいて、エアコンは、不可欠な電気製品である。異なる環境およびニーズにより、窓型、セパレート型、移動型など、異なる形態のエアコンがある。どの形態のエアコンでも、圧縮機が圧縮された冷媒を送り、凝縮器および蒸発器で熱交換が行なわれ、冷風を起こすという同様の原理によるものである。熱交換の過程で凝縮器の凝縮作用によりドレン水が発生するが、どのエアコンでもドレン水排出機能が必要となる。本考案は、セパレート型エアコンの室内機の排水装置に関するが、従来のセパレート型エアコンの室内機の排水方法は、ドレンパイプにより直接排水するものであった。しかし、ドレン水が下方に向かって流動するため、室内機はできるだけ高所に設置しなければドレン水が下方に向かって流動しない。そのため、室内機の設置において、ある程度の制限を受けることになり、室内デザインなどに悪影響を与える。ドレンパイプが適当に処置されないと、居住生活が不快なものになってしまうおそれもある。
【０００３】
上記の問題点を解決するため、室内機のそばにドレンタンクを設け、ドレン水を貯蔵し、ドレンタンク内臓のモーターにドレンパイプを接続することによりドレン水を室外に排出する方法が案出された。この方法により、ドレンパイプを高所に設置しなければならないという排水問題を解決したが、モーターの設置によりコストの上昇、電力消費、騒音問題などの新たな課題が出現した。特に、モーターが夜間など静かな環境下で運転すると、騒音が人を不快にさせる。以上のように、セパレート型エアコンの室内機には、明らかに排水問題が存在し、直ちに改善する必要があった。
【先行技術文献】
【特許文献】
【０００４】
【特許文献１】特表２００９−５３２６５３号公報
【特許文献２】特開平８−３３４３３７号公報
【考案の概要】
【考案が解決しようとする課題】
【０００５】
本考案の目的は、電力不用で低コストのセパレート型エアコンの室内機の排水装置を提供することにある。
【課題を解決するための手段】
【０００６】
上述の目的を達成するため、本考案は、セパレート型エアコンの室内機の排水装置を提供する。本考案のセパレート型エアコンの室内機の排水装置は、第１のドレンタンクおよび第２のドレンタンクを有する。第１のドレンタンクは、水を貯蔵する機能を有する容器で、下端に出口が設けられている。第２のドレンタンクは、水を貯蔵する機能を有する容器で、下端に入口が設けられ、上端に排水口が設けられている。第１のドレンタンクおよび第２のドレンタンクの頂端に蓋が設けられ、側面に固定ユニットが設けられている。第２のドレンタンクの入口と第１のドレンタンクの出口との間に所定の長さのドレンパイプが枢接されている。排水口は、所定の長さの排水管を枢接している。第１のドレンタンクは、セパレート型エアコンの室内機のそばに配置され、室内機の排出するドレン水を受け取る。第１のドレンタンクの出口は、第２のドレンタンクの排水口より低くなければならず、第２のドレンタンク内は排水口の高さで水位を維持する。ドレンパイプ内は、水が充填されている。第１のドレンタンク内の水位と第２のドレンタンク内の水位は同じであるため、第１のドレンタンクに流入した水は第２のドレンタンクの排水口から流出する。
【考案の効果】
【０００７】
本考案のセパレート型エアコンの室内機の排水装置は、第１のドレンタンクおよび第２のドレンタンクの構造により、配置が簡単で、コストが低いだけでなく、電力不用で騒音を出すことがなく室内機の排水問題を解決することができる。
【図面の簡単な説明】
【０００８】
【図１】本考案の一実施形態によるセパレート型エアコンの室内機のドレンタンクを示す斜視図である。
【図２】本考案の一実施形態によるセパレート型エアコンの室内機のドレンタンクを示す断面図である。
【図３】本考案の一実施形態によるセパレート型エアコンの室内機のドレンタンクの使用動作を示す断面図である。
【考案を実施するための形態】
【０００９】
以下、本考案の実施形態を図面に基づいて説明する。
図１を参照する。図１は、本考案の一実施形態によるセパレート型エアコンの室内機のドレンタンクを示す斜視図である。図１に示すように、本考案のドレン水排水装置は、第１のドレンタンク１０および第２のドレンタンク２０を有する。
【００１０】
第１のドレンタンク１０は、水を貯蔵する機能を有する容器で、頂端に蓋１１が設けられ、頂端を閉め、下端に出口１２が設けられている。第１のドレンタンク１０の側面に固定ユニット１３が設けられている。固定ユニット１３は、穴、フックなど、第１のドレンタンク１０を壁面に固定させるものである。
【００１１】
第２のドレンタンク２０は、水を貯蔵する機能を有する容器で、頂端に蓋２１が設けられ、頂端を閉め、下端に入口２２が設けられ、上端に排水口２３が設けられている。入口２２と第１のドレンタンク１０の出口１２との間に所定の長さのドレンパイプ２４が設置されている。ドレンパイプ２４は、可撓性を有する。排水口２３は、所定の長さの排水管２５を接続している。第２のドレンタンク２０の側面に固定ユニット２６が設けられている。固定ユニット２６は、穴、フックなど、第２のドレンタンク２０を壁面に固定させるものである。
【００１２】
図２を参照する。図２は、本考案の一実施形態によるセパレート型エアコンの室内機のドレンタンクを示す断面図である。図２に示すように、第１のドレンタンク１０および第２のドレンタンク２０が使用される際には、固定ユニット１３、２６により壁面に固定され、第１のドレンタンク１０の出口１２位置が第２のドレンタンク２０の排水口２３位置より低く、第２のドレンタンク２０内で水位が排水口２３の高さに維持され、ドレンパイプ２４内にドレン水が充填されている。アルキメデスの原理で第１のドレンタンク１０内の水位と第２のドレンタンク２０内の水位は、同じである（第１のドレンタンク１０内の水位が出口１２より高い場合）。
【００１３】
ここで重要なのが第１のドレンタンク１０および第２のドレンタンク２０の頂端に設けられた蓋１１、２１が頂端を閉じることにより、粉塵が内部に混入するのを防止し、同時にタンク内の水分が蒸発するのも防止することができる。
【００１４】
図３を参照する。図３は、本考案の一実施形態によるセパレート型エアコンの室内機のドレンタンクの使用動作を示す断面図である。図３に示すように、第１のドレンタンク１０および第２のドレンタンク２０の構造に基づき、第１のドレンタンク１０は、セパレート型エアコンの室内機３０のそばに配置され、室内機３０の排出するドレン水を受け取る。第２のドレンタンク２０は、室外、浴室、ベランダなど、容易に排水できる場所に配置される。室内機３０が排出したドレン水が第１のドレンタンク１０に入ると、第２のドレンタンク２０と同じ高さで第１のドレンタンク１０内に貯蔵されたドレン水、およびドレン水が充填して真空となったドレンパイプ２４により、第１のドレンタンク１０のドレン水がサイフォンの原理で第２のドレンタンク２０に直接流入し、同時に排水口２３から流出する。以上のように、第１のドレンタンク１０および第２のドレンタンク２０の配置位置は、制限を受けることになる。第１のドレンタンク１０が室内機３０のそばに配置され、室内機３０の排出するドレン水を受け取る。第２のドレンタンク２０の排水口２３は、第１のドレンタンク１０の出口１２より高くなければならず、第２のドレンタンク２０内は排水口２３の高さで水位を維持する。ドレンパイプ２４内は、水が充填され、第１のドレンタンク１０内の水位と第２のドレンタンク２０内の水位は、同じである。そのため、ドレンパイプ２４は、高い位置から低い位置に配置するという制限を受けず、ドレンパイプ２４が第１のドレンタンク１０より高くても、サイフォンの原理で水が第２のドレンタンク２０に流入する。ドレンパイプ２４は、壁面の角、冷媒管路、部屋の装飾などに沿って配置することができるため、自由な配置が可能となり、居住空間の快適さを増加させることができる。
【００１５】
上記の第１のドレンタンク１０および第２のドレンタンク２０の構造により、配置が簡単で、コストが低いだけでなく、電力不用で騒音を出すことがなく室内機の排水問題を解決することができる。
【００１６】
本明細書は、好適な実施形態を前述の通りに開示するが、本考案はこれらの内容に限定されるものではなく、当業者において当然になし得るこれらの技術的特徴を踏まえた変更、修正、構成の付加は、本考案の範囲に属する。
従って、本考案の保護の範囲は、実用新案請求の範囲で指定した内容を基準とする。
【符号の説明】
【００１７】
１０  第１のドレンタンク
１１  蓋
１２  出口
１３  固定ユニット
２０  第２のドレンタンク
２１  蓋
２２  入口
２３  排水口
２４  ドレンパイプ
２５  排水管
２６  固定ユニット
３０  室内機
【図１】
0003180670.tif 000003
【図２】
0003180670.tif 000004
【図３】
0003180670.tif 000005